(57)【要約】      （修正有）【課題】少ない光源であっても意匠の見栄えを良好にすることができる表示板を提供する。【解決手段】光源からの光を内部に取り込む入光部と、入光部から取り込んだ光を導光する面状の導光層（導光部）と、導光層の前面に配設され、導光層により導光した光を透過して意匠を表示する意匠表示層（意匠表示部）と、を備えた文字板（表示板）１０であって、入光部は、導光層に設けられた貫通穴１５の内壁に設けられ、意匠表示層は、互いに対となる指標部（第１の意匠）１２ａと数字部（第２の意匠）１２ｂを、貫通穴１５を略中心とする同一中心上の円、楕円、または、円弧、楕円弧上に設け、指標部１２ａと数字部１２ｂは、同一中心の基準とした円周方向および径方向に重ならないように配置する。【選択図】図４
2015081961.tif 000002
【特許請求の範囲】
【請求項１】
光源からの光を内部に取り込む入光部と、
前記入光部から取り込んだ光を面状に導光する導光部と、
前記導光部の前面に配設され、前記導光部により導光した光を透過して意匠を表示する意匠表示部と、
を備えた表示板であって、
前記意匠表示部は、互いに対となる第１の意匠と第２の意匠を、同一中心上の円、楕円、または、円弧、楕円弧上に設け、
前記第１の意匠と前記第２の意匠は、前記同一中心を基準とした円周方向および径方向に重ならないように配置する
ことを特徴とする表示板。
【請求項２】
前記導光部は、貫通穴を設け、
前記入光部を、前記貫通穴の内壁に設け、
前記第１の意匠と前記第２の意匠の配置の同一中心を、前記貫通穴の略中心に設ける
ことを特徴とする請求項１に記載の表示板。
【請求項３】
前記第１の意匠と前記第２の意匠は、同一の計測値を位置によって示す、互いに対となる指標意匠の組みであって、
前記第１の意匠は、境界を示す図形意匠とし、
前記第２の意匠は、対応する前記第１の意匠の値を示す数字意匠とする
ことを特徴とする請求項１または請求項２に記載の表示板。
【請求項４】
前記第１の意匠は、前記貫通穴に近いほど細く、前記貫通穴に遠いほど太くする
ことを特徴とする請求項３に記載の表示板。
【発明の詳細な説明】
【技術分野】
【０００１】
本発明は、光源から射出された光を表示部材にて導光して意匠表示部等を有する表示板に関するものである。
【背景技術】
【０００２】
従来の表示部材は、特許文献１に開示されており、光源から射出された光を導光し、表面に印刷された遮光層の切り欠き箇所で形成される意匠表示部から光を射出することで、所定の意匠を表示する導光板であって、意匠表示部に対応した箇所に光拡散部を設け、この光拡散部により意匠表示部に対応した箇所のみ光を拡散することで意匠表示部から光を射出し、意匠表示部に対応しない箇所では光を拡散させないことで意匠表部以外から光を射出させないようにし、少ない光源であっても効率よく光を導光板内で導光させ、光源から離れた意匠でも明るく表示させるものである。
【先行技術文献】
【特許文献】
【０００３】
【特許文献１】特開２０１１−２３７６９２号公報
【発明の概要】
【発明が解決しようとする課題】
【０００４】
しかしながら、従来の表示装置は、表示部材内を進行する光源からの光を射出して光輝する意匠表示部について、表示部材内の光の進行方向対し、前後に重なり合うように２つの意匠表示部が配置されている場合、手前の意匠表示部から光が射出されるため、それよりも奥の意匠表示部が、手前の意匠表示部に比べ暗く見えてしまいやすく、表示装置として見栄えが損なわれる虞があった。
【０００５】
そこで本発明は、上記問題点を解消し、少ない光源であっても意匠の見栄えを良好にすることができる表示板を提供することを目的とするものである。
【課題を解決するための手段】
【０００６】
光源からの光を内部に取り込む入光部と、
前記入光部から取り込んだ光を面状に導光する導光部と、
前記導光部の前面に配設され、前記導光部により導光した光を透過して意匠を表示する意匠表示部と、
を備えた表示板であって、
前記意匠表示部は、互いに対となる第１の意匠と第２の意匠を、同一中心上の円、楕円、または、円弧、楕円弧上に設け、
前記第１の意匠と前記第２の意匠は、前記同一中心を基準とした円周方向および径方向に重ならないように配置する。
【０００７】
前記導光部は、貫通穴を設け、
前記入光部を、前記貫通穴の内壁に設け、
前記第１の意匠と前記第２の意匠の配置の同一中心を、前記貫通穴の略中心に設ける。
【０００８】
前記第１の意匠と前記第２の意匠は、同一の計測値を位置によって示す、互いに対となる指標意匠の組みであって、
前記第１の意匠は、境界を示す図形意匠とし、
前記第２の意匠は、対応する前記第１の意匠の値を示す数字意匠とする。
【０００９】
前記第１の意匠は、前記貫通穴に近いほど細く、前記貫通穴に遠いほど太くする。
【発明の効果】
【００１０】
少ない光源であっても意匠の見栄えを良好にすることができる表示板を提供できる。
【図面の簡単な説明】
【００１１】
【図１】本発明の実施形態による表示板の正面図である。
【図２】同実施形態による表示板の断面図（図１のＡ−Ａ'断面図）である。
【図３】同実施形態による光源から表示板への導光を説明した図である。
【図４】同実施形態による表示板上の指標部（第１の意匠）と数字部（第２の意匠）の配置関係図であり、（ａ）は径方向における配置関係を説明した図であり、（ｂ）は円周方向における配置関係を説明した図であり、（ｃ）は図４（ａ）における領域Ｂを拡大した図である。
【発明を実施するための形態】
【００１２】
以下に、本発明の実施形態に係る車両用表示装置を添付図面の図１乃至４に基づいて説明する。
【００１３】
本実施形態に係る車両用表示装置１は、図１乃至３に示すように、文字板（表示板）１０、ケース体２０、導光体３０、指針４０、光源５０、アクチュエータ６０、回路基板７０で構成し、車両側から出力される車速やエンジン回転数等の車両情報を示す車両信号に基づき、指針４０が回動ことで特定の位置を指示するものであり、光源５０の発する光により、文字板１０と指針４０が光輝する。
【００１４】
文字板１０は、導光層１１、意匠表示層１２、表面光調整層１３、裏面光調整層１４、貫通穴１５、入光部１６で構成される。
【００１５】
導光層１１は、透明又は半透明の透光性（半透光性を含む）を有する合成樹脂製の部材（例えばポリカーボネート板等）から形成される平板状の部材で構成される。
【００１６】
意匠表示層１２は、意匠（文字、絵、図形、記号等）を表示する表示層であり、
光を透過して射出する指標部１２ａ，数字部１２ｂと、光を透過しない遮光部によって構成される。遮光部は、指標部１２ａと数字部１２ｂ以外の領域に遮光性のインク等を用いて、印刷，塗料等により塗りつぶして形成される。指標部１２ａ，数字部１２ｂは、遮光部を切り抜いた意匠の部分であり、透明性のインク等を用いて、印刷，塗料などによって形成される。
【００１７】
表面光調整層１３は、光拡散性を有する拡散部材で形成された光拡散部１３ａと、導光層１１よりも光の屈折率が低い透明又は半透明の透光性（半透光性を含む）を有する合成樹脂製の部材（例えばポリカーボネート板等）で形成された調光部からなる。光拡散部１３ａは、後述する意匠表示層１２に設けた指標部（第１の意匠）１２ａ，数字部（第２の意匠）１２ｂに対応する位置に、印刷、塗料によって導光部１１の前面に形成され、導光部１１が導光した光Ｌを、対応する指標部１２ａまたは数字部１２ｂへ光を拡散させて射出する。調光部は、光拡散部１３ａ以外の領域に形成され、導光層１１内を反射する光の量及び導光層１１外に射出される光の量を調整する。
【００１８】
裏面光調整層１４は、導光層１１よりも光の屈折率が低い透明又は半透明の透光性（半透光性を含む）を有する合成樹脂製の部材（例えばポリカーボネート板等）からなり、表面光調整層１３の調光部と同様に、導光層１１内を反射する光の量及び導光層１１外に射出される光の量を調整する。
【００１９】
貫通穴１５は、文字板１０の中央に開けられ、貫通穴１５の内壁には、入光部１６を設ける。
【００２０】
また、貫通穴１５には、指針４０とアクチュエータ６０が貫通穴１５を介して指針軸で連結するように配置されると共に、その指針軸を囲むように、後述する導光体３０が配置される。
【００２１】
入光部１６は、後述する導光体３０から導光された光Ｌを導光層１１へ取り入れる。導光層１１へ取り入れた光Ｌは、表面光調整層１３と裏面光調整層１４とを反射して文字板１０の中央から奥へ導光される。また、導光された光Ｌは、表面光調整層１３に設けられた光拡散部１３ａを通過して拡散し、その上面に配置された意匠表示層１２の指標部１２ａまたは、数字部１２ｂを光輝させる。
【００２２】
ケース体２０は、合成樹脂材料からなり、文字板１０と後述する回路基板７０との間に配設され、文字板１０を支持固定する。
【００２３】
導光体３０は、透明又は半透明の透光性（半透光性を含む）を有する合成樹脂製の部材（例えばポリカーボネート板等）から形成され、後述する光源５０が発する光を、文字板１０の入光部１６および、指針４０へ導光する。
【００２４】
指針４０は、後述するアクチュエータ６０の動力によって、指示すべき値に対応する文字板２０上の指標部１２ａ，数字部１２ｂを指示する。指針４０には導光体３０より導光された光を指針４０先端に導光する導光部を備え、光源５０の光によって光輝する。
【００２５】
光源５０は、回路基板７０に対して垂直方向（表方向）に光を照射するトップビュー型のＬＥＤからなる。
【００２６】
アクチュエータ６０は、ステッピングモータからなり、指針４０が装着される指針軸を備え、指針軸を中心に回動する。
【００２７】
回路基板７０は、光源５０やアクチュエータ６０を実装し、車両用表示装置１の電気的な制御を行う制御部を有する。
【００２８】
次に、文字板１０の意匠表示層１２に設けられる指標部１２ａと数字部１２ｂの位置関係について図４を用いて説明する。なお、図４の（ａ）及び（ｂ）における点Ｐは同一の点とする。
【００２９】
図４（ａ），図４（ｂ）に示すように、文字板１０の意匠表示層１２に設けられる指標部１２ａと数字部１２ｂは、貫通穴１５の略中心にある点Ｐ（指針４０の回転軸が通る点）を中心とした円弧上に配置する。また、指標部１２ａと数字部１２ｂは、互いに同じ計測値（車速やエンジン回転数等）を位置によって表す対となる意匠組みであり、対応する図形と数字は、互いに近接した位置関係で配置する。
【００３０】
また、図４（ａ）に示すように、指標部１２ａと数字部１２ｂは、点Ｐを基準とした径方向において互いに重ならないように配置する。
【００３１】
また、図４（ｂ）に示すように、指標部１２ａと数字部１２ｂは、点Ｐを基準として円周方向において互いに重ならないように配置する。
【００３２】
このように構成することで、指標部１２ａと数字部１２ｂは、互いに対応した位置関係に配置されると共に、表示部材内の光の進行方向に対し、前後に重なり合わないため、本実施例で述べると、指標部１２ａが数字部１２ｂの光輝を阻害することなく、両者を適切に光輝し、表示装置としての見栄えと可読性を両立した表示板を提供できる。
【００３３】
また、指標部１２ａは、図４（ｃ）に示すように、指標部１２ａは、貫通穴１５に近いほど意匠幅Ｗ１を細く、貫通穴１５から遠いほど意匠幅Ｗ２を太く形成する。
【００３４】
このように構成することで、指標部１２ａが点Ｐを基準とした径方向に長い図形意匠であっても、指標部１２ａは均一に光輝させ易くなり、表示装置としての見栄えの良い表示板を提供できる。
【００３５】
以上、実施形態について説明したが、本願の発明は、指標部１２ａを、数字部１２ｂの文字板１０上における内側に配置しても良く、指標部１２ａと数字部１２ｂは、点Ｐを中心に、円、円弧、楕円、楕円弧上にそれぞれ配置するようにしても良い。また、文字板１０上に、複数の貫通穴を備え、それぞれ異なる計測値（例えば、車速度やエンジン回転数など）の指標となる複数組の指標部１２ａと数字部１２ｂを併設するように構成しても良い。
【符号の説明】
【００３６】
１    車両用表示器
１０    文字板（表示板）
１１    導光層（導光部）
１２    意匠表示層（意匠表示部）
１２ａ  指標部（第１の意匠）
１２ｂ  数字部（第２の意匠）
１３    表面光調整層
１３ａ  光拡散部
１４    裏面光調整層
１５    貫通穴
１６    入光部
２０    ケース体
３０    導光体
４０    指針
５０    光源
６０    アクチュエータ
７０    回路基板
Ｌ      光
【図１】
2015081961.tif 000003
【図２】
2015081961.tif 000004
【図３】
2015081961.tif 000005
【図４】
2015081961.tif 000006